(57)【要約】【課題】小型で、堅牢で、製作が容易で、しかも、コストが安価なプリント基板用コネクタを提供する。【解決手段】インシュレータ２の表面側の中央には、相手側コネクタ用の嵌合孔２Ａが形成され、また、内部の幅方向の両側面及び底面には、各コンタクト３をそれぞれ保持するための多数のコンタクト収容溝２Ｂが略Ｌ字形状に形成される。更に、インシュレータの内部底面における幅方向の両側には、各コンタクト収容溝にそれぞれ連続する貫通孔２Ｃが形成される。各コンタクトは、インシュレータの内部底面の当接部２Ｄに対する係止部３Ａと、相手側コネクタのコンタクトに対する接触部３Ｂと、凸型湾曲部３Ｃと、接触部に対する平行部３Ｄと、端子部３Ｅとから略ヘアーピン形状に連続して一体に構成される。各コンタクトをインシュレータに組み込み、各端子部を各貫通孔に挿入した後に略９０°外側に折曲する。【選択図】　　　図２
2004079396.tif 000002
【特許請求の範囲】
【請求項１】
インシュレータと、前記インシュレータに対向してそれぞれ保持される複数のコンタクトとから構成され、
前記インシュレータには、相手側コネクタが嵌合するための嵌合孔が形成され、更に、前記嵌合孔を中心に対称的に複数の略Ｌ字形状のコンタクト収容溝と前記各コンタクト収容溝に連続する複数の貫通孔とがそれぞれ形成され、
前各コンタクトは、前記各コンタクト収容溝の底面に対する係止部と、前記相手側コネクタのコンタクトに対する接触部と、湾曲部と、前記接触部に対する平行部と、端子部とから略ヘアーピン形状に連続して一体に構成され、
前記各係止部は、前記各コンタクトの前記インシュレータへの挿入前に略９０°折曲され、挿入方向の抜出を防止し、
前記各端子部は、前記各コンタクトの前記インシュレータへの挿入後に略９０°折曲され、反挿入方向の抜出を防止することを特徴とするプリント基板用コネクタ。
【発明の詳細な説明】
【０００１】
【発明の属する技術分野】
本発明は、プリント基板用コネクタの小型化、堅牢化及びコストの低廉化に関する。
【０００２】
【従来の技術】
従来のプリント基板用コネクタについて図７と図８を参照して説明する。
【０００３】
プリント基板用コネクタは、レセプタクル側コネクタ２１とプラグ側コネクタ（図示せず）とから構成される。
【０００４】
レセプタクル側コネクタ２１は、略長方形箱形状のインシュレータ２２と、インシュレータ２２の内部の両側に一定のピッチで配設される多数のコンタクト２３とから構成される。
【０００５】
インシュレータ２２における表面側の中央には、プラグ側コネクタが嵌合するための嵌合孔２２Ａが形成される。また、インシュレータ２２の内部における幅方向の両側面には、各コンタクト２３をそれぞれ保持するための多数の溝２２Ｂが形成される。
【０００６】
各コンタクト２３は、プラグ側コネクタのコンタクトと接触するための接触部２３Ａと、インシュレータ２２の溝２２Ｂに圧入される圧入部２３Ｂと、折曲部２３Ｃと、プリント基板に半田付けされる端子部２３Ｄとから略Ｌ字形状に連続して一体に構成される。圧入部２３Ｂは、テーパ面２３Ｂ１を有する。
【０００７】
各コンタクト２３の端子部２３Ｄは、インシュレータ２２の下面の両側に突出する。
【０００８】
なお、特許第２７８１８８１号公報には、次のプリント基板接続装置が、記載されている。略Ｖ字形状に折り返された接続ピンは、スペーサに保持される。接続ピンは、折曲部と、一端のストッパ部と、他端の端子部とから連続して一体に構成される。ストッパ部は、スペーサの係止孔に係止され、端子部は、プリント基板に半田付けされ、折曲部は、他のプリント基板のスルーホールに挿入される。
【０００９】
【発明が解決しようとする課題】
前記従来のプリント基板用コネクタには、次の問題点がある。
【００１０】
１．コネクタの小型化、低背化及び狭ピッチ化を図る場合、インシュレータ全体が小型となる。したがって、コンタクトをインシュレータに圧入するときに生じる応力によって、インシュレータの変形及びクラックが起き、また、コンタクトをプリント基板に半田付けするときの熱によって、インシュレータの変形が起きる。
【００１１】
２．前記１を回避するために、圧入代を小さく設定し、圧入応力を小さくする対策を採用しているが、コンタクトがインシュレータから容易に抜出することを防止する必要があるので、圧入代の小さい設定が困難である。
【００１２】
３．コンタクトをインシュレータに圧入保持させるため、コンタクトとインシュレータの各寸法を厳しく規制せざるを得ないが、この結果、金型と部品の製作が難しくなり、また、コストが高価になる。
【００１３】
４．コンタクトをインシュレータに安定して圧入保持させるために、コンタクトに圧入部と、インシュレータにこの圧入部に相応する被圧入部とが必要となる。したがって、これらの圧入部と被圧入部の寸法だけ、コネクタは、高くならざるを得ない。
【００１４】
そこで、本発明は、前記従来のプリント基板用コネクタの欠点を改良し、小型で、堅牢で、製作が容易で、しかも、コストが安価なプリント基板用コネクタを提供しようとするものである。
【００１５】
【課題を解決するための手段】
本発明は、前記課題を解説するため、次の手段を採用する。
【００１６】
インシュレータと、前記インシュレータに対向してそれぞれ保持される複数のコンタクトとから構成され、前記インシュレータには、相手側コネクタが嵌合するための嵌合孔が形成され、更に、前記嵌合孔を中心に対称的に複数の略Ｌ字形状のコンタクト収容溝と前記各コンタクト収容溝に連続する複数の貫通孔とがそれぞれ形成され、前各コンタクトは、前記各コンタクト収容溝の底面に対する係止部と、前記相手側コネクタのコンタクトに対する接触部と、湾曲部と、前記接触部に対する平行部と、端子部とから略ヘアーピン形状に連続して一体に構成され、前記各係止部は、前記各コンタクトの前記インシュレータへの挿入前に略９０°折曲され、挿入方向の抜出を防止し、前記各端子部は、前記各コンタクトの前記インシュレータへの挿入後に略９０°折曲され、反挿入方向の抜出を防止するプリント基板用コネクタ。
【００１７】
【発明の実施の形態】
本発明の一実施の形態例のプリント基板用コネクタにおけるレセプタクル側コネクタについて図１〜図６を参照して説明する。
【００１８】
プリント基板用コネクタは、レセプタクル側コネクタ１とプラグ側コネクタ（図示せず）とから構成される。
【００１９】
レセプタクル側コネクタ１は、図１に示されるように、略長方形箱形状のインシュレータ２と、インシュレータ２の内部の両側に一定のピッチで対向して配設される多数のコンタクト３とから構成される。
【００２０】
インシュレータ２における表面側の中央には、プラグ側コネクタが嵌合するための嵌合孔２Ａが形成される。また、インシュレータ２の内部における幅方向の両側面及び底面には、図２に示されるように、各コンタクト３をそれぞれ保持するための多数のコンタクト収容溝２Ｂが形成される。各コンタクト収容溝２Ｂは、略Ｌ字形状に形成される。更に、インシュレータ２の内部底面における幅方向の両側には、各コンタクト収容溝２Ｂにそれぞれ連続する貫通孔２Ｃが形成される。
【００２１】
各コンタクト３は、インシュレータ２の内部底面に対する係止部３Ａと、プラグ側コネクタのコンタクトに対する接触部３Ｂと、凸型湾曲部３Ｃと、接触部３Ｂに対する平行部３Ｄと、端子部３Ｅとから略ヘアーピン形状に連続して一体に構成される。ただし、図２に示される状態では、コンタクト３の係止部３Ａは、接触部３Ｂに対して略９０°折曲されている。
【００２２】
各コンタクト３のインシュレータ２への組込方法について図２〜図４を参照して説明する。図２の状態において、各コンタクト３をインシュレータ２の各コンタクト収容溝２Ｂに、矢印方向に挿入する。すると、各コンタクト３の端子部３Ｅはインシュレータの各貫通孔２Ｃに挿入され、また、各コンタクト３の係止部３Ａはインシュレータ２の内部底面に形成された当接部２Ｄ（すなわちコンタクト収容溝２Ｂの底面）に当接し、図３の状態に至る。続いて、図４に示されるように、各端子部３Ｅを矢印方向に略９０°外側に折曲する。各端子部３Ｅは、プリント基板（図示せず）に半田付けされる。
【００２３】
各コンタクト３とインシュレータ２の各コンタクト収容溝２Ｂ及び各貫通孔２Ｃとの間には、微小な隙間が存在するように寸法設定されているため、各コンタクト３をインシュレータ２に組み込むことに基因する応力が発生しない。各コンタクト３の係止部３Ａは、各コンタクト３がインシュレータ２から挿入方向へ抜出すること及びインシュレータ２に対して傾倒することを防止する役割を果し、端子部３Ｅは、各コンタクト３がインシュレータ２から反挿入方向へ抜出することを防止する役割を果す。
【００２４】
図５は、組み込みが完了したレセプタクル側コネクタ１が破断されて示される斜視図である。図６は、コンタクト３の最終形状の斜視図である。
【００２５】
本実施の形態例は、レセプタクル側コネクタであるが、本発明は、これに限らずに、プリント基板用コネクタ全般に適用可能である。
【００２６】
【発明の効果】
以上の説明から明らかなように、本発明によれば、次の効果が奏される。
【００２７】
１．コンタクトとインシュレータの寸法設定に余裕があるから、金型と部品に高い精度が要求されないので、コネクタのコストが低廉化する。
【００２８】
２．コンタクトをインシュレータに係止するための大きいスペースが不要となるため、コネクタの小型化及び低背化を図り易い。
【００２９】
３．コンタクトをインシュレータに挿入する際、従来の技術と異なって圧入の応力が発生しないので、インシュレータの変形及びクラックが起きない。したがって、コネクタにおけるコンタクトの狭ピッチ化を図り易い。
【００３０】
４．コンタクトの係止部と端子部をそれぞれ折曲するので、コンタクトのインシュレータに対する挿入方向と反挿入方向の抜出を確実に防止することができる。
【００３１】
５．コンタクトの係止部は、コンタクトがインシュレータに対して傾倒することを防止する。
【図面の簡単な説明】
【図１】本発明のプリント基板用コネクタにおける一実施の形態例のレセプタクル側コネクタの三面図であり、（ａ）は正面図、（ｂ）は前面図、（ｃ）は側面図を、それぞれ示す。
【図２】コンタクトをインシュレータに組み込む前の状態の同レタプタクル側コネクタの断面図である。
【図３】同コンタクトを同インシュレータに組み込む途中の状態の同レセプタクル側コネクタの断面図である。
【図４】同コンタクトを同インシュレータに組み込んだ後の状態の同レセプタクル側コネクタの断面図である。
【図５】同コンタクトの同インシュレータへの組み込みが完了した同レセプタクル側コネクタが破断されて示される斜視図である。
【図６】同コンタクトの最終形状の斜視図である。
【図７】従来のプリント基板用コネクタにおけるレセプタクル側コネクタの斜視図である。
【図８】同レセプタクル側コネクタおけるコンタクトの斜視図である。
【符号の説明】
１　　レセプタクル側コネクタ
２　　インシュレータ
２Ａ　　嵌合孔
２Ｂ　　コンタクト収容溝
２Ｃ　　貫通孔
２Ｄ　　当接部
３　　コンタクト
３Ａ　　係止部
３Ｂ　　接触部
３Ｃ　　凸型湾曲部
３Ｄ　　平行部
３Ｅ　　端子部
【図１】
2004079396.tif 000003
【図２】
2004079396.tif 000004
【図３】
2004079396.tif 000005
【図４】
2004079396.tif 000006
【図５】
2004079396.tif 000007
【図６】
2004079396.tif 000008
【図７】
2004079396.tif 000009
【図８】
2004079396.tif 000010